(57)【特許請求の範囲】
【請求項１】
鋼板の片面を着色樹脂フィルムで被覆した樹脂フィルム被覆鋼板の樹脂フィルム面、または着色塗料を塗布した塗料塗布鋼板の塗料面のいずれかに、着色樹脂フィルム（Ｂ）または着色塗料（Ｃ）の色味とは異なる色味の塗料（Ｄ）を印刷塗布して、幅方向の中央部が曲線、直線などの延在する方向に沿って陥没または隆起した凸形状に形成された目地模様が、凸形状の目地模様（ａ１）と視認されるようにされてなることを特徴とする目地模様付き鋼板（Ａ１）。
【請求項２】
鋼板の片面を着色樹脂フィルムで被覆した樹脂フィルム被覆鋼板の樹脂フィルム面、または着色塗料を塗布した塗料塗布鋼板の塗料面のいずれかに、着色樹脂フィルム（Ｂ）または着色塗料（Ｃ）の色味とは異なる色味の塗料層（Ｅ）を形成して、塗料層（Ｅ）に設けられた凹形状により着色樹脂フィルム（Ｂ）面または着色塗料（Ｃ）面を露出させ、この露出させた凹形状によって形成された目地模様が、凹形状の目地模様（ａ２）と視認されるようにされてなることを特徴とする目地模様付き鋼板（Ａ２）。
【請求項３】
目地模様が、格子状模様、石目調模様、石垣調模様、木目調模様、雲、波、花、山、竹の葉、木の葉などの自然物の柄模様、円形、矩形、三角形、多角形、格子などの幾何学模様、およびこれらを抽象的にした抽象模様などからなる群から選ばれた一種または複数の模様を組合せて構成されたものである、請求項１または請求項２に記載の目地模様付き鋼板。
【請求項４】
この凸形状の一方の肩側から陥没した中央部側までの幅を濃色で色柄模様などを印刷し、残りの部分を印刷せずまたは淡色で印刷して形成されたものである、請求項１または請求項３に記載の目地模様付き鋼板。
【請求項５】
目地模様（ａ１）が、着色樹脂フィルム（Ｂ）または着色塗料（Ｃ）の表面に濃色で色柄模様などを印刷し、この色柄模様印刷面の少なくとも一部を、透明または半透明などの遮蔽性の低い塗料（Ｄ）で被覆して形成されたものである、請求項１または請求項３に記載の目地模様付き鋼板。
【請求項６】
目地模様（ａ２）が、塗料層（Ｅ）に設けられた凹形状により着色樹脂フィルム（Ｂ）面または着色塗料（Ｃ）面を露出させ、この露出させた凹部に塗料を塗布して形成されたものである、請求項２、請求項３ないし請求項５のいずれか一項に記載の目地模様付き鋼板。
【請求項７】
着色樹脂フィルム（Ｂ）または着色塗料（Ｃ）が色柄模様印刷層を含む積層体で構成されてなる、請求項１ないし請求項６のいずれか一項に記載の目地模様付き鋼板。
【発明の詳細な説明】
【０００１】
【発明の属する技術分野】
本発明は、目地模様付き鋼板およびその製造方法に関する。さらに詳しくは、樹脂フィルム被覆鋼板または着色塗料塗布鋼板の上側面に、印刷法により深みがあり凹凸感のある、目地模様と視認される目地模様を付けた鋼板と、その製造方法に関する。なお、本発明において目地模様とは、タイル、金属板、木板、石などの建築部材の接合部を接触させずに設けた隙間の目地が、印刷した色彩によって形成される模様をいう。また、色味が異なるとは、明度、彩度、色相の一つ以上が異なっていることをいう。
【０００２】
【従来の技術】
住宅の内装材、外装材、浴室ユニット、洗面所ユニットなどの壁材、天井材などは、従来のタイルに較べて製作や施工が容易であるという利点があることから、化粧鋼板によって調製される。化粧鋼板には目地がないため、平面で単調な外観を呈する。化粧鋼板に目地模様を付加する方法としては、鋼板自体に凹凸の目地加工を施す方法（特開２００１−１３２２０３号公報参照）、鋼板を被覆した樹脂フィルムを部分的に除去して目地模様を形成する方法（特開平９−２１６３０６号公報参照）などが提案されている。
【０００３】
しかしながら、特開２００１−１３２２０３号公報に記載の技術は、金型を使用したプレス加工法によって、樹脂フィルム被覆鋼板表面に凹凸の目地模様を形成するものである。異なる目地（間隔、広さ）模様を形成するには、目地模様ごとに高価な金型が必要で、目地模様を簡単には替えるもとができない、またこの方法によって凹凸を形成した鋼板は、曲げ加工処理がし難く、通常の鋼板曲げ加工法では、凹状に形成した目地部がつぶれてしまう、などの欠点がある。さらに、鋼板の裏側に凸部が形成されている場合は、平坦な石膏ボードなどの壁面に密着させて貼着できないので、施工し難いという欠点がある。
【０００４】
さらに、特開平９−２１６３０６号公報に記載の技術は、樹脂フィルム被覆鋼板にさらに目地状模様付樹脂フィルムを積層し、樹脂フィルムの表面を所定の深さだけ帯状に除去して目地模様を付ける技術に関する。樹脂フィルムを除去した部分が薄くなったり、鋼板面が露出したりすることがあり、製品の目地模様付き鋼板の耐久性が劣るという欠点があるほか、樹脂フィルムを除去する装置上の制約があり、複雑な目地模様は形成し難いという欠点がある。
【０００５】
【発明が解決しようとする課題】
本発明者らは、かかる状況に鑑み、住宅の内装材、外装材、浴室ユニット、洗面所ユニットなどの壁材、天井材などに使用される目地模様付き化粧鋼板を提供すべく鋭意検討の結果、本発明に到達したものである。すなわち、本発明の目的は次のとおりである。
１．製作が容易で、曲げ加工する際に目地模様がつぶれる心配がない、目地模様付き鋼板を提供すること。
２．深みがあり、凹凸感のある目地模様が視認される目地模様付き鋼板を提供すること。
３．タイルや石材を用いた目地模様に類似した目地幅、形状など複数の模様を組合せた多様な目地模様付き鋼板を提供すること。
４．上記の目地模様付き鋼板を、低コストで能率よく製造する方法を提供すること。
【０００６】
【課題を解決するための手段】
上記課題を解決するために、第１発明では、鋼板の片面を着色樹脂フィルムで被覆した樹脂フィルム被覆鋼板の樹脂フィルム面、または着色塗料を塗布した塗料塗布鋼板の塗料面のいずれかに、着色樹脂フィルム（Ｂ）または着色塗料（Ｃ）の色味とは異なる色味の塗料（Ｄ）を印刷塗布して、幅方向の中央部が曲線、直線などの延在する方向に沿って陥没または隆起した凸形状に形成された目地模様が、凸形状の目地模様（ａ１）と視認されるようにされてなることを特徴とする目地模様付き鋼板（Ａ１）を要旨とする。
【０００７】
さらに、第２発明では、鋼板の片面を着色樹脂フィルムで被覆した樹脂フィルム被覆鋼板の樹脂フィルム面、または着色塗料を塗布した塗料塗布鋼板の塗料面のいずれかに、着色樹脂フィルム（Ｂ）または着色塗料（Ｃ）の色味とは異なる色味の塗料層（Ｅ）を形成して、塗料層（Ｅ）に設けられた凹形状により着色樹脂フィルム（Ｂ）面または着色塗料（Ｃ）面を露出させ、この露出させた凹形状によって形成された目地模様が、凹形状の目地模様（ａ２）と視認されるようにされてなることを特徴とする目地模様付き鋼板（Ａ２）を要旨とする。
【０００９】
【発明の実施の形態】
以下、本発明を詳細に説明する。
本発明に係る目地模様付き鋼板(A)の基材となる鋼板は、その種類は特に限定されるものではなく、鋼板自体の耐蝕性の向上と、この鋼板表面と樹脂フィルム(B)、着色塗料(C)との密着性向上を目的として、鋼板表面に表面処理が施されているものが好ましい。表面処理を施す面は、樹脂フィルム(B)が被覆される面、着色塗料(C)が塗布される面であるが、残りの面にも同様の表面処理を施してもよい。表面処理はメッキ、化成処理、電解エッチング処理などが挙げられる。中でも、スズメッキ、クロムメッキ、ニッケルメッキなどのメッキ処理が好適である。
【００１０】
鋼板の厚さ、幅、長さなどに特に制限はないが、取扱いの容易さなどを勘案すると、厚さが０．２〜５mm、幅が５００〜２０００mm程度であって、長尺でロール状に巻回したものが好ましい。ロール状に巻回した鋼板の厚さは、目地模様付き鋼板の用途によって上記範囲で選ぶことができる。長尺鋼板の長さは、これから製造する製品の種類、大きさ、形状などに応じて切断、打ち抜きなどにより適切な寸法とすることができる。
【００１１】
基材となる鋼板の片面には、着色樹脂フィルム(B)で被覆するかまたは着色塗料(C)を塗布する。これら被覆物は、鋼板の表面の耐蝕性を向上させ、同時に目地模様を鮮明にし、深みのある凹凸感が視認されるように機能する。着色樹脂フィルム(B)の樹脂としては、ポリ塩化ビニル、塩化ビニル−酢酸ビニル共重合体などの塩化ビニル系樹脂、ポリエチレン、ポリプロピレンなどのポリオレフィン系樹脂、アクリル系樹脂、ポリエチレンテレフタレート、ポリブチレンテレフタレートなどのポリエステル系樹脂、ポリアミド６、ポリアミド６６などのポリアミド系樹脂などが挙げられる。樹脂の種類は、これら例示したものに限定されるものではない。着色樹脂フィルム(B)は、単層でも異種樹脂フィルムの積層体であってもよい。
【００１２】
上記樹脂を着色する着色剤は、樹脂を着色するものであれば特に制限されるものではなく、中でも、光や熱に曝されても退色し難い着色剤が好適である。着色樹脂フィルム(B)の厚さは、５〜５００μｍの範囲で選ぶのが好ましい。厚さが５μｍ未満であると、フィルムとして扱い難く、耐蝕性にも劣り、厚さが５００μｍを超えると、樹脂フィルム被覆鋼板を曲げ加工する際の成形加工性に劣り、経済的にも不利である。樹脂フィルムの特に好ましい厚さは、１０〜４００μｍである。樹脂フィルムは、従来から知られている製造方法、例えば、Ｔダイやインフレーションダイを装着した押出機による押出成形法、カレンダー成形法などによることができる。
【００１３】
上記鋼板と上記着色樹脂フィルム(B)とから、樹脂フィルム被覆鋼板を調製するには、(1)鋼板に接着剤を塗布して焼付けた後に、別途調製した着色樹脂フィルムを積層する方法、(2)別途調製した着色樹脂フィルムを溶融状態で鋼板に積層する方法、(3)押出機ダイから押出された着色樹脂フィルムを溶融状態にある間に鋼板に積層する方法、などが挙げられる。着色樹脂フィルム(B)の表面は、鏡面状にされていてもよく、絵柄模様が印刷されていてもよく、意匠性のある凹凸エンボス模様が形成されていてもよい。
【００１４】
基材となる鋼板の片面に塗布する着色塗料(C)としては、鋼板に耐蝕性を付与し、曲げ加工する際に剥離しないものであれば特に制限はない。中でも、合成樹脂と顔料とを水性媒体中に分散させたエマルジョン型塗料、合成樹脂と顔料とを有機溶媒に溶解または分散させた溶媒型塗料が好適である。エマルジョン型塗料の樹脂としては、ポリ酢酸ビニル、アクリル系樹脂などが挙げられ、溶媒型塗料フェノール樹脂、尿素樹脂、メラミン樹脂、フタル酸樹脂、アミノアルキッド樹脂、ケイ素樹脂、ポリウレタン樹脂などの硬化型樹脂のほか、塩化ビニル樹脂、アクリル系樹脂、ポリエステル樹脂などが挙げられる。
【００１５】
塗料に分散させる顔料は、塗料を着色するものであれば特に制限されるものではなく、中でも、光や熱に曝されても退色し難い顔料が好適である。上記基材としての鋼板と上記着色塗料(C)とから塗料塗布鋼板を調製するには、(1)鋼板にエマルジョン型塗料を塗布して水性媒体を飛散させる方法、(2)鋼板に溶媒型塗料を塗布し、要すれば加熱、電子線照射、紫外線照射などにより溶媒を乾燥し、焼付け、硬化する方法などが挙げられる。鋼板の着色塗料(C)を塗布する方法は、特に制限されるものではなく、従来から知られている塗布方法、例えば浸漬法、キスロール法、噴霧法、ハケ塗法、印刷法などによることができる。着色塗料(C)の厚さは、２〜５００μｍの範囲で選ぶのが好ましい。
【００１６】
【実施例】
以下、実施例により本発明をさらに詳しく説明するが、本発明はその趣旨を超えない限り、以下の記載例に限定されるものではない。本発明の第１発明に係る目地模様付き鋼板(A1)は、着色樹脂フィルム(B)で被覆した被覆面、または着色塗料(C)を塗布した塗布面のいずれかに、着色樹脂フィルム(B)または着色塗料(C)の色味とは異なる色味の塗料(D)を印刷塗布する。このようにすると、塗料(D)の色味と着色樹脂フィルム(B)または着色塗料(C)の色味との相乗作用や、光線が反射する際に生じる陰影などにより、基材の鋼板自体に凹部が形成されるような、深みのある目地模様が明瞭に視認される。
【００１７】
塗料(D)は、色味が異なるという条件を満せば、着色塗料(C)に使用されるものとして例示したものと同じ範疇のものでよく、合成樹脂と顔料とを水性媒体中に分散させたエマルジョン型塗料、合成樹脂と顔料とを有機溶媒に溶解または分散させた溶媒型塗料などが挙げられる。塗料(D)による模様の形成方法は、印刷法によるものとする。印刷法としては、グラビア印刷法、オフセット印刷法、スクリーン印刷法、凸版印刷法、凹版印刷法などが挙げられる。
【００１８】
着色樹脂フィルム(B)で被覆した被覆面、または着色塗料(C)を塗布した塗布面のいずれかに、塗料(D)による模様を印刷した後は、水性エマルジョン型塗料の場合は水性媒体を飛散させる方法、溶媒型塗料の場合は加熱、電子線照射、紫外線照射などにより溶媒を乾燥し、焼付け、硬化する方法などが挙げられる。印刷は、単色（一層）印刷のほか、色味の異なる塗料によって複数回の重ね（多層）印刷を行ってもよい。複数回の重ね印刷を行う際には、印刷用ロールや印刷用原版を変えることにより、異なる模様、異なる色目、異なる種類の塗料を組合せた多色印刷を行うこともできる。複数回の重ね印刷を行うことによって、目地模様を鮮明にし、深みのある凹凸感が視認されるようにすることができる。
【００１９】
塗料(D)によって印刷する模様は、直線・曲線などを組合せて、例えば格子状模様、石目調模様、石垣調模様、木目調模様、雲、波、花、山、竹の葉、木の葉などの自然物の柄模様、円形、矩形、三角形、多角形、格子などの幾何学模様、およびこれらを抽象的にした抽象模様などが挙げられる。これらの模様は、一種でも、複数の模様を組合せたものであってもよい。模様の色は、例えばベージュ色、乳白色、山吹色などのような単色でも、異なる色を複数組合せたものであってもよい。模様は、印刷用ロールや印刷用原版を替えることにより、自由に変えることができ、異なる複数の模様を容易に印刷することができる。このようにすることによって、目地模様を鮮明にし、深みのある凹凸感が視認されるようにすることができる。
【００２０】
これらの模様を形成するには、(1)点、直線、曲線（以下、これらを併せて直線・曲線と略称する）などを平面状に形成する、(2)凹凸状に形成した直線・曲線などを組合せる、(3)直線・曲線などを凹凸エンボス模様状に形成する、(4)平面状に形成した点、直線・曲線などを、凹凸状に形成した直線・曲線などとを組合せる、(5)凹凸状の直線・曲線などと、凹凸エンボス模様状の直線・曲線などとを組合せる、(6)平面状に形成した直線・曲線など、凹凸状に形成した直線・曲線など、および凹凸エンボス模様状に形成した直線・曲線などとを組合せる、などの方法によることができる。
【００２１】
塗料(D)によって印刷する模様の直線・曲線などの大きさは、特に制限はないが、目地模様が視認でき、かつ、深みと凹凸感が認識できるようにするには、直線・曲線などを組合せて濃淡を形成することができる。深みと凹凸感が認識できる目地模様とするには、直線・曲線などを複数組合わされて濃淡が形成されるようにすることもできる。
【００２２】
例えば、(1)直線・曲線などを例えば１〜５mmの幅で、幅方向の中央部が直線・曲線などが延在する方向に沿って凹状に陥没した凸状(s1)として形成する方法（後記、図４参照）、(2)直線・曲線などを例えば１〜５mmの幅で、幅方向の中央部が直線・曲線などが延在する方向に沿って凹状に陥没した凸状(t1)として形成し、この凸状(t1)の一方の肩側から陥没した中央部側までの幅を濃色で印刷し、残りの部分を印刷せずまたは透明ないし淡色な塗料(D)で印刷する方法（後記、図５参照）、(3)着色樹脂フィルム(B)、着色塗料(C)の上に、直線・曲線などを濃色塗料で印刷し、この濃色塗料による印刷層の少なくとも一部と重なりあうように、さらに隠蔽性の低い塗料(D)によって凸状(v1)を印刷形成する方法で、この凸状(v1)の上側は凸状、凹状に陥没（後記、図６参照）でも、平坦（後記、図７参照）でもよい。(4)直線・曲線などを上面が平坦な凸状(u1)として形成し、この凸状(u1)の平坦な上面の全面または一部を、凸状(u1)が延在する方向に沿って濃色塗料で直線・曲線などを印刷する方法（後記、図８参照）、などが挙げられる。
【００２３】
塗料(D)によって印刷する模様において、上記凸状(s1)、凸状(t1)、凸状(u1)、凸状(v1)などの最大高さは、５〜５００μｍの範囲で選ぶことができる。上記(2)の方法および(4)の方法で使用される濃色塗料とは、黒色を含む暗色系の色相を意味し、透明ないし淡色の塗料(D)は着色されていてもよい。直線・曲線などは一個ではなく、複数組合せることができる。この場合は、凸状(s1)、凸状(t1)、凸状(u1)、凸状(v1)などの高さ、濃色塗料の濃さ（暗さ）などに差を設けることもできる。このように直線・曲線などによって濃淡印刷模様を形成することにより、光線が反射する際に陰影が生じ、基材である樹脂被覆鋼板自体に凹部が形成されるような、深みがあり凹凸感があるように視認される目地模様とすることができる。
【００２４】
本発明の第２発明に係る目地模様付き鋼板(A2)は、着色樹脂フィルム(B)で被覆した被覆面、または着色塗料(C)を塗布した塗布面のいずれかに、着色樹脂フィルム(B)または着色塗料(C)の色味とは異なる色味、同系色の色味、透明（着色されていてもよい）などの塗料で印刷した塗料層(E)を形成して、塗料が塗布されていない凹形状の部分とで目地模様(a2)と視認されるようにされる。このようにすると、第１発明におけると同様に、塗料層(E)と着色樹脂フィルム(B)または着色塗料(C)の色味との相乗作用、光線が反射する際に生じる陰影などにより、基材の樹脂被覆鋼板に深みのある凹形部が形成されているように、目地模様が視認されるようなる。
【００２５】
着色樹脂フィルム(B)または着色塗料(C)が単色の場合は、塗料層(E)は少なくとも目地模様印刷層を含む積層体で構成するのが好ましい。塗料層(E)を構成する積層体は、透明印刷層(E2)のみ、目地模様印刷塗料層(E1)と透明印刷層(E2)とより構成した二層積層体、目地模様印刷塗料層(E1)、透明印刷層(E2)、単色に着色された塗料層(E3)とより構成した三層積層体などが挙げられる。
【００２６】
目地模様は、例えば塗料層(E)に設けた深さが５μｍ〜３mmの範囲で、幅が１０mm以下の凹部(e)により、基材鋼板の着色樹脂フィルム(B)面または着色塗料(C)面を露出させ、この露出した凹部によって形成したもの(e1)（後記、図１０参照）、または、塗料層(E)に設けた凹部(e)に単色または濃色の塗料を塗布して形成したもの(e2)（後記、図１１、図１２、図１３参照）などが挙げられる。この場合の塗料層(E)表面は、平坦状、凹凸状、ちぢみ状のいずれを呈してもよい（後記、図１４参照）。塗料層(E)に凹部(e)を設けるには、基材鋼板の着色樹脂フィルム(B)または着色塗料(C)の上に、凹部(e)を残して、塗料インキを塗布して乾燥させる方法を複数回繰り返して積層体とする方法、色、模様、塗布量などを変えて乾燥する方法などが挙げられる。また、着色樹脂フィルム(B)または着色塗料(C)に目地模様印刷層がある場合は、塗料層(E)は単色または透明層だけでよく、目地模様印刷層がない場合は、塗料層(E)は目地模様印刷塗布層があってもよい。
【００２７】
樹脂層(E)を構成する樹脂の種類は、着色樹脂フィルム(B)を構成する樹脂と同種であってよく、塗料層(E)の目地模様は、塗料(D)によって形成する目地印刷模様と同種でも異なっていてもよい。着色剤は塗料(D)によって目地模様を形成する際に使用される着色剤と同種であってよく、印刷方法も塗料(D)を印刷塗布する方法と同様であってよい。塗料層(E)表面は、平坦状、凹凸状、ちぢみ状（極めて小さな凹凸状）のいずれを呈してもよい。
【００２８】
本発明に係る目地模様付き鋼板は、目地模様が印刷法によって形成されているので、曲げ加工する際に目地模様をつぶすことがなく、曲げ加工ができる。また、裏面に凹凸がなく平坦であるので、石膏ボードなどの面材と接着する際に密着させることができるので、施工し易い。本発明に係る目地模様付き鋼板は、住宅の内装材、外装材、浴室ユニット、洗面所ユニットなどの壁材、天井材などの用途に、好適に使用できる。
【００２９】
以下、本発明に係る目地模様付き鋼板を製造する際に使用される金属板、樹脂フィルムの種類、塗料の種類、インキの種類、絵柄印刷の方法などをさらに詳しく説明するが、本発明はその趣旨を超えない限り、以下の記載例に限定されるものではない。
【００３０】
図１は、本発明の第１発明に係るに係る目地模様付き鋼板の一例の部分平面略図である。図１において、１は凸形状目地によって囲まれた部分であり、２は、印刷塗料（セイコーアドバンス社製、ＵＶ硬化型ＨＵＧインキ）を使用し、スクリーン印刷法により印刷した目地模様であり、四辺形、三角形などの多角形を組合せた目地模様を形成している。
【００３１】
図２は、樹脂フィルム被覆鋼板の一例を厚さ方向に直角に切断した断面図である。図２に示した樹脂フィルム被覆鋼板４は、基材鋼板３（亜鉛メッキされた厚さ０．５mm）の表面にウレタン系接着剤（東洋インキ製造社製、商品名：オリバイン）を介して樹脂フィルム５によって被覆されている。樹脂フィルム５は、ポリ塩化ビニルフィルム層６（厚さが１２０μｍ）と裏面に絵柄印刷された透明ポリエチレンテレフタレートフィルム層７（厚さが４０μｍ）とが、ドライラミネーション法によって積層されたものである。図３は、樹脂フィルム被覆鋼板４上に、スクリーンインキ（セイコーアドバンス社製、商品名：ＴＪＮインキ）を使用し、スクリーン印刷法によって形成し、最大高さが１００μｍの凸形状目地８を形成したもので、樹脂フィルム被覆鋼板を厚さ方向に直角に切断した部分拡大断面図である。
【００３２】
図４は、樹脂フィルム被覆鋼板４上に、スクリーンインキ（セイコーアドバンス社製、商品名：ＴＪＮインキ）を使用し、スクリーン印刷法によって、最大高さが５０μｍの凸形状目地９を形成した状態での部分拡大断面図であり、凸形状目地９の幅方向の中央部には、この凸形状目地９が延在する方向に沿って陥没した部分１０が設けられている。図５は、凸形状１１の陥没した部分１２の一方の肩から陥没した中央部側までの幅を濃色塗料１３（セイコーアドバンス社製、商品名：ＳＧ７４０インキ）で、スクリーン印刷法によって印刷し、残りの部分を印刷しない状態での部分拡大断面図である。
【００３３】
図６は、樹脂フィルム被覆鋼板４上に、濃色塗料（東洋インキ製造社製、商品名：Ｖ３３６ＶＣＧＴＫ）の目地模様１４をグラビア印刷法によって印刷し、この目地模様１４の一部と重なりあうように白色半透明な塗料（セイコーアドバンス社製、商品名：ＳＧ７４０インキ）で、スクリーン印刷法によって印刷した凸形状１５を形成した状態での部分拡大断面図である。図７は、樹脂フィルム被覆鋼板４上に、濃色塗料（図６で使用したものと同種）で、目地模様１６をグラビア印刷法で印刷し、この目地模様１６の一部と重なりあうように白色半透明な塗料（図６で使用したものと同種）で、同じ方法によって形成した凸形状１７を形成した状態での部分拡大断面図である。図８は、樹脂フィルム被覆鋼板４上に、断面形状が凸形状の目地模様１８を印刷し、この目地模様１８の上側に濃色塗料（図５で使用したものと同種）の目地模様１９を印刷した例の部分拡大断面図である。
【００３４】
図９は、本発明の第２発明に係る目地模様付き鋼板の一例の部分平面略図である。図９において、２１は目地２２によって囲まれた絵柄模様であり、色相の異なる２種のグラビアインキ（セイコーアドバンス社製、商品名：ＳＧ７４０インキ、ＴＪＮインキ）を使用して印刷した、長方形（ＳＧ７４０インキを使用）、四角形、菱形（ＴＪＮインキを使用）などの多角形を組合せた模様である。２２は幅が１mm〜１０mmの凹形状目地であり、印刷された絵柄印刷模様複数の多角形を外周を囲っている。第２発明の実施で使用される鋼板は、上記図２に示したものと同じ種類のものであってよいことは、前記したとおりである。
【００３５】
図１０は、凹形状目地の一例を厚さ方向に直角に切断した部分拡大断面図である。図１０において、２４は基材の塗料塗布鋼板であり、２９は単色塗布印刷層（厚さ２０μｍ）であり、塗料塗布鋼板の表面に塗布されている塗料とは色味が異なる単色塗料（Ｔ＆Ｋ  ＴＯＫＡ社製、商品名：ＵＶ１６１インキ）を使用し、スクリーン印刷法により印刷した。２６は絵柄塗布印刷層（厚さ４０μｍ）であり、透明な二液硬化型インキ（セイコーアドバンス社製、商品名：ＳＧ７４０インキ）を使用し、スクリーン印刷法によって印刷した。２７は透明塗布印刷層（厚さ２０μｍ）であり、透明なＵＶ硬化インキ（セイコーアドバンス社製、商品名：ＴＪＮインキ）を使用し、スクリーン印刷法により印刷した。２２は開口部の幅が４mmの凹形状目地である。
【００３６】
図１１は、凹形状目地の他の例で、厚さ方向に直角に切断した部分拡大断面図である。図１０において、図示されていない鋼板表面を、裏面にＵＶ硬化インキ（セイコーアドバンス社製、商品名：ＵＳインキ）で絵柄模様が印刷されている樹脂フィルム層２５で被覆し、この樹脂フィルム層の上にスクリーン印刷法によって透明塗布印刷層２７（厚さ１５０μｍ）を形成した。透明塗布印刷層２７の凹形状目地２２の底部に、不透明とした二液硬化型インキ（セイコーアドバンス社製、商品名：ＳＧ７４０インキ）を使用し、スクリーン印刷法によって単色塗布印刷層（厚さ１０μｍ）２８を形成した。単色塗布印刷層２８の表面は、凹凸（ちぢみ）模様とされている。製品の上側から、樹脂フィルム層２５の絵柄模様が、透明塗布印刷層２７と薄い不透明の単色塗布印刷層２８が視認できる。
【００３７】
図１２は、透明な一液易乾燥硬化型インキ（セイコーアドバンス社製、商品名：ＰＰＴインキ）を使用して、スクリーン印刷法によって印刷された透明塗布印刷層（厚さ１００μｍ）３０で、凹形状目地２２の樹脂フィルム被覆鋼板２４が露出した部分の一部を、濃色塗料２０（図５で使用したものと同種）で厚さ１０μｍに印刷した状態の部分拡大断面図である。図１３には、樹脂フィルム被覆鋼板２４が露出した凹形状目地２２部分の一部を、濃色塗料３０で印刷した例を示した。図１４は、凹形状目地２２によって囲まれた透明塗布印刷層２７の表面は、小さな凹凸（ちぢみ）模様とされている。
【００３８】
【発明の奏する効果】
本発明は、以上詳細に説明したとおりであり、次のような特別に有利な効果を奏し、その産業上の利用価値は極めて大である。
１．本発明の第１発明および第２発明に係る目地模様付き鋼板は、目地模様が印刷法によって形成されているので、曲げ加工する際に目地模様が破損することがなく、特別の金型なども不要である。
２．本発明の第１発明および第２発明に係る目地模様付き鋼板は、目地模様が印刷法によって形成されており裏面が平坦であるので、平坦な石膏ボードなどの面材と接着する際に密着させることができるので、施工し易い。
３．本発明の第１発明および第２発明に係る目地模様付き鋼板は、基材の鋼板の着色樹脂フィルム被覆面、または塗料塗布面のいずれかに、着色樹脂フィルム(B)または着色塗料(C)の色味とは異なる色味の塗料(D)または塗料層(E)を印刷塗布して目地模様を形成しているので、深みがあり凹凸感のある目地模様と視認される。
４．本発明に係る目地模様付き鋼板の製造方法によれば、目地模様が印刷法によって形成されているので、印刷用ロールや印刷用原版を替えることにより、目地模様を自由に変えることができ、異なる複数の目地模様を極めて容易に印刷することができる。
【図面の簡単な説明】
【図１】  本発明の第１発明に係る目地模様付き鋼板の一例の部分平面略図である。
【図２】  樹脂フィルム被覆鋼板の一例の断面図である。
【図３】  樹脂フィルム被覆鋼板上に凸形状の目地を形成した一例の断面図である。
【図４】  樹脂フィルム被覆鋼板上に、凸形状の目地を形成した状態での部分拡大断面図である。
【図５】  凸状の陥没した部分の一方の肩側から陥没した中央部側までの幅を濃色で印刷し、残りの部分を印刷しない状態での部分拡大断面図である。
【図６】  樹脂フィルム被覆鋼板上に、濃色塗料で目地模様を印刷し、この目地模様の一部と重なりあうように透明な塗料によって形成した凸形状を形成した状態での部分拡大断面図である。
【図７】  図６に示した図において、目地模様を小さくし、凸形状の断面形状を変更した例の部分拡大断面図である。
【図８】  樹脂フィルム被覆鋼板上に断面形状が凸形状の目地模様を印刷し、この目地模様の上側に濃色塗料の模様を印刷した例の部分拡大断面図である。
【図９】  本発明の第２発明に係る目地模様付き鋼板の一例の部分平面略図である。
【図１０】  凹形状目地の一例の部分拡大断面図である。
【図１１】  凹形状目地の樹脂フィルム層が露出した部分の全幅を、濃色塗料で印刷した状態の部分拡大断面図である。
【図１２】  凹形状目地の樹脂フィルム層が露出した部分の一部を、濃色塗料で印刷した状態の部分拡大断面図である。
【図１３】  凹形状目地の樹脂フィルム層が露出した中央部を、濃色塗料で印刷した状態の部分拡大断面図である。
【図１４】  凹形状目地で囲まれた塗料層の表面の凹凸（ちぢみ）模様を示す部分拡大断面図である。
【符号の説明】
１：凸形状目地によって囲まれた部分
２：印刷塗料によって形成された凸形状目地
３、２３：基材の鋼板
４、２４：樹脂被覆鋼板または塗料塗布鋼板
５、２５：樹脂フィルムまたは塗料
６：単色樹脂フィルム層または単色塗料塗布層
７、２７：透明樹脂フィルム層または透明塗料塗布層
８、９：凸形状目地
１０、１２：凸形状目地に形成した陥没部分
１１、１８：隠蔽性のある塗料によって形成した凸形状目地
１３、１４、１６、１９、２０：濃色塗料の印刷部
１５、１７：隠蔽性の低い（半透明）塗料によって形成した凸形状目地
２１：凹形状目地によって囲まれた部分
２２：凹形状目地
２６：絵柄塗布印刷層
２７：透明塗布印刷層
２８、２９：単色塗布印刷層
【図１】
0004184678.tif 000002
【図２】
0004184678.tif 000003
【図３】
0004184678.tif 000004
【図４】
0004184678.tif 000005
【図５】
0004184678.tif 000006
【図６】
0004184678.tif 000007
【図７】
0004184678.tif 000008
【図８】
0004184678.tif 000009
【図９】
0004184678.tif 000010
【図１０】
0004184678.tif 000011
【図１１】
0004184678.tif 000012
【図１２】
0004184678.tif 000013
【図１３】
0004184678.tif 000014
【図１４】
0004184678.tif 000015